(57)【要約】      （修正有）【課題】発光装置を有し、ライトベルトのスイッチを入れると、ペットが回転盤内で走って遊ぶ時、発光装置が点滅・発光し、ペットに回転盤への興味を増加させるペットねずみ用回転盤を提供する。【解決手段】ペットねずみ用回転盤は、回転ドラム１と、ライトベルト２２を含む発光装置２と回転ドラム底座３とを含み、回転ドラムは、光透過材質で構成され、その一端面に開口が設置され、更に回転ドラムの内環壁にペットねずみ足踏み用の複数の凸エッジ１３が設置され、発光装置が回転ドラム外壁に被覆され、回転ドラム底座が発光装置外に取付けられる。【選択図】図２
0003206453.tif 000002
【実用新案登録請求の範囲】
【請求項１】
回転ドラム（１）と、発光装置（２）と、回転ドラム底座（３）と、を含み、
前記回転ドラム（１）は、光透過材質で構成され、一端面に開口が設置され、その密閉端面の中央に沿って内に錐状スリーブ（１２）が突出延長し、錐状スリーブ（１２）の中心に貫通孔（１１）が備えられ、更に前記回転ドラム（１）の内環壁にペットねずみ足踏み用の複数の凸エッジ（１３）が設置され、
前記発光装置（２）は、円形の回路基板（２１）と、一端が回路基板（２１）の外辺縁に接続されて均一に分布する複数のライトベルト（２２）と、蓋板（２３）と、を含み、前記回路基板（２１）と蓋板（２３）との各中心にそれぞれ回転ドラム（１）の貫通孔（１１）と同心にする通孔（２４，２４）が開設され、前記回路基板（２１）が回転ドラム（１）の密閉端面に被覆され、複数のライトベルト（２２）が均一に回転ドラム（１）外壁に分布し、前記蓋板（２３）により回路基板（２１）及び複数のライトベルト（２２）が回転ドラム（１）に外嵌固定され、
前記回転ドラム底座（３）の一方側を挟接部（３１）とし、前記挟接部（３１）が係止溝によりペットケージに係合し、回転ドラム底座（３）の他方側をロッド連結部（３２）とし、前記ロッド連結部（３２）が次第に回路基板（２１）及び蓋板（２３）の通孔（２４，２４）と回転ドラム（１）の貫通孔（１１）とを貫通して回転ドラム（１）に締め付けられることを特徴とするペットねずみ用回転盤。
【請求項２】
前記錐状スリーブ（１２）内に回転ドラム（１）外に突出する三つの位置決め柱が設置され、前記回路基板（２１）及び蓋板（２３）にそれぞれ位置決め柱に対応する位置決め孔及び位置決めパイプスリーブが三つずつ設置され、前記位置決めパイプスリーブが位置決め孔を貫通して位置決め柱に外嵌されることにより、回路基板（２１）、蓋板（２３）及び回転ドラム（１）が位置決めされて取付けられることを特徴とする請求項１に記載のペットねずみ用回転盤。
【請求項３】
前記蓋板（２３）における回路基板（２１）に対応する位置には電池取付溝（２５）が設置され、前記電池取付溝（２５）の開口が回路基板（２１）と対向することを特徴とする請求項１に記載のペットねずみ用回転盤。
【請求項４】
前記回転ドラム（１）の外壁には、その径方向に沿って複数のライトベルト位置決め溝（１４）が均一に分布し、前記ライトベルト（２２）がライトベルト位置決め溝（１４）内に嵌入されて位置決めされ取付けられることを特徴とする請求項１に記載のペットねずみ用回転盤。
【請求項５】
回転ドラム（１）の密閉端面に位置する前記各ライトベルト位置決め溝（１４）内には、相互に平行の二つの線形の係合孔（１５）がそれぞれ設置され、前記蓋板（２３）に線形の係合孔（１５）に対応する留め具（２６）が設置され、前記留め具（２６）と線形の係合孔（１５）との嵌合により発光装置（２）と回転ドラム（１）とが固定されることを特徴とする請求項４に記載のペットねずみ用回転盤。
【請求項６】
前記回転ドラム底座（３）のロッド連結部（３２）は、頭部が大きく尾部が小さい段付棒とし、前記段付棒の尾部が挟接部（３１）に接続され、その頭部が内凹みのＵ形であり、前記段付棒が次第に回路基板（２１）及び蓋板（２３）の通孔（２４，２４）と回転ドラム（１）の貫通孔（１１）とを貫通し、その頭部が自錐状スリーブ（１２）の管端から延長することにより、前記段付棒と錐状スリーブ（１２）とが係止固定されることを特徴とする請求項１に記載のペットねずみ用回転盤。
【請求項７】
前記回転ドラム底座（３）の挟接部（３１）の外辺縁にはその径方向に沿って外に突起する段付係止部（３３）が設置され、前記蓋板（２３）における挟接部（３１）に対する対向面には円形の凹み台が設置され、前記円形の凹み台の開口部に段付係止部（３３）に対応するストッパー（２８）が設置され、前記段付係止部（３３）とストッパー（２８）とのに嵌合により挟接部（３１）と蓋板（２３）とが固定されることを特徴とする請求項１に記載のペットねずみ用回転盤。
【請求項８】
前記回路基板（２１）にライトベルト（２２）のスイッチ（２７）が設置され、前記スイッチ（２７）が蓋板（２３）及び回転ドラム底座（３）から延長して外に暴露されることを特徴とする請求項１に記載のペットねずみ用回転盤。
【請求項９】
前記ライトベルト（２２）にＬＥＤ灯が取付けられることを特徴とする請求項１に記載のペットねずみ用回転盤。
【考案の詳細な説明】
【技術分野】
【０００１】
本考案は、ペット玩具に関し、特にペットねずみ用回転盤に関する。
【背景技術】
【０００２】
現在、ペットねずみ飼育の気風が益々流行している。ペットねずみは、ストレスを開放するために、大量の運動を必要とするものである。野生時、ペットねずみは、毎日外回りをして食物を捜査する。現在、ペットねずみは、家で飼育されるが、この習慣を依然として保有し、身体の健康に有益になる。このため、所有者が寵愛するペットねずみの活動量を向上させるために、いくつかのペット専用の関連器具例えば、ペットに跳躍及び筋骨活動の機能を提供する階段、トレッドミル、跳躍台、回転車を購入する。
【考案の概要】
【考案が解決しようとする課題】
【０００３】
本考案の目的は、前記問題に対して、取付けを便利にし、ペットねずみに興味を増加させるペットねずみ用回転盤を提供する。
【課題を解決するための手段】
【０００４】
本考案の目的は、以下の手段により実現される。
【０００５】
ペットねずみ用回転盤は、回転ドラムと、発光装置と、回転ドラム底座と、を含み、
前記回転ドラムは、光透過材質で作製され、一端面に開口が設置され、その密閉端面の中央に沿って内に錐状のスリーブが突出延長し、このスリーブは中心に貫通孔を備え、前記回転ドラムの内環壁には、更にペットねずみが踏む複数の凸エッジが設置され、
前記発光装置は、円形の回路基板と、一端が回路基板の外辺縁に接続されて且つ均一に分布する複数のライトベルトと、蓋板と、を含み、前記回路基板及び蓋板の各中心にはそれぞれ回転ドラムの貫通孔と同心にする通孔を開設し、前記回路基板が回転ドラムの密閉端面に外嵌され、複数のライトベルトが均一に回転ドラム外壁に分布し、前記蓋板により回路基板及び複数のライトベルトを回転ドラムに外嵌固定し、
前記回転ドラム底座の一方側を挟接部とし、前記挟接部が係止溝によりペットケージに係合し、回転ドラム底座の他方側がロッド連結部とし、前記ロッド連結部が次第に回路基板及び蓋板の各通孔と回転ドラムの貫通孔とを貫通して回転ドラムに締め付けることを特徴とする。
【０００６】
その中で、前記錐状スリーブ内に回転ドラム外に突出する三つの位置決め柱が設置され、前記回路基板及び蓋板にそれぞれ位置決め柱に対応する位置決め孔及び位置決めパイプスリーブが三つずつ設置され、前記位置決めパイプスリーブが位置決め孔を貫通して位置決め柱に外嵌され、これにより回路基板、蓋板及び回転ドラムが位置決めされて取付けられる。
【０００７】
その中で、前記蓋板における回路基板に対応する位置には電池取付溝が設置され、前記電池取付溝の開口が回路基板と対向する。
【０００８】
その中で、前記回転ドラムの外壁にはその径方向に沿って均一に複数のライトベルト位置決め溝が分布し、前記ライトベルトがライトベルト位置決め溝内に嵌入されることで位置決めされて取付けられる。
【０００９】
その中で、回転ドラムの密閉端面に位置する前記ライトベルト位置決め溝内にそれぞれ相互に平行の二つの線形の係合孔が設置され、前記蓋板に線形の係合孔に対応する留め具が設置され、前記留め具が線形の係合孔に嵌合することで発光装置及び回転ドラムが固定される。
【００１０】
その中で、前記回転ドラム底座のロッド連結部が、頭部が大きく尾部が小さい段付棒とし、前記段付棒の尾部が挟接部に接続され、その頭部が内凹みのＵ形であり、前記段付棒が次第に回路基板及び蓋板の通孔と回転ドラムの貫通孔とを貫通し、その頭部が錐状のスリーブの管端から延長することにより、段付棒と錐状スリーブとが相互に係止固定される。
【００１１】
その中で、前記回転ドラム底座の挟接部の外辺縁にはその径方向に沿って外に突起する段付係止部が設置され、前記蓋板における挟接部に対する対向面に円形の凹み台が設置され、前記円形の凹み台の開口には段付係止部に対応するストッパーが設置され、前記段付係止部とストッパーとの嵌合により挟接部と蓋板とが固定される。
【００１２】
その中で、前記回路基板上にライトベルトのスイッチが設置され、前記スイッチが蓋板及び回転ドラム底座から延長して外に暴露される。
【００１３】
その中で、前記ライトベルトにＬＥＤ灯が取付けられる。
【考案の効果】
【００１４】
本考案の有益な効果は、ライトベルトのスイッチを付けると、ペットが回転盤内で走って遊ぶ時、発光装置が点滅したり発光したりし、回転盤へのペットの興味が増加することにある。
【図面の簡単な説明】
【００１５】
【図１】本考案の外観構造図である。
【図２】本考案の組立図である。
【図３】本考案の平面図である。
【図４】本考案とペットケージを結合する手順一見取図である。
【図５】本考案とペットケージを結合する手順二見取図である。
【考案を実施するための形態】
【００１６】
以下、具体的な実施例及び図面を参照して、本考案についてより一層説明する。
【００１７】
図１〜図３の示すように、本実施例のペットねずみ用回転盤は、回転ドラム１と、発光装置２と、回転ドラム底座３と、を含む。
【００１８】
回転ドラム１は、光透過材質で作製され、一端面に開口が設置され、その密閉端面の中央に沿って内に錐状スリーブ１２が突出延長し、この錐状スリーブ１２の中心に貫通孔１１が備えられ、更に回転ドラム１の内環壁にペットねずみ足踏み用の凸エッジ１３が複数設置される。
【００１９】
発光装置２は、円形の回路基板２１と、一端が回路基板２１の外辺縁に接続されて均一に分布する複数のライトベルト２２と、蓋板２３と、を含み、回路基板２１及び蓋板２３の各中心にそれぞれ回転ドラム１の貫通孔１１と同心にする通孔２４，２４が開設され、回路基板２１が回転ドラム１の密閉端面に被覆され、複数のライトベルト２２が均一に回転ドラム１の外壁に分布し、蓋板２３により回路基板２１及び複数のライトベルト２２が回転ドラム１に外嵌固定される。その中で、ライトベルト２２にＬＥＤ灯が取付られる。
【００２０】
回転ドラム１の密閉端面に位置する各ライトベルト位置決め溝１４内にそれぞれ相互に平行の二つの線形の係合孔１５が設置され、蓋板２３には線形の係合孔１５に対応する留め具２６が設置され、留め具２６と線形の係合孔１５との嵌合により発光装置２及び回転ドラム１を固定することを実現できる。
【００２１】
回転ドラム底座３の一方側を挟接部３１とし、挟接部３１を係止溝によりペットケージに係合させる。回転ドラム底座３の他方側をロッド連結部３２とし、ロッド連結部３２を、頭部が大きく尾部が小さい段付棒とし、段付棒の尾部が挟接部３１に接続され、その頭部が内凹みのＵ形とし、段付棒が次第に回路基板２１及び蓋板２３の通孔２４，２４と回転ドラム１の貫通孔１１とを貫通し、その頭部が錐状スリーブ１２の管端から延長することにより、段付棒及び錐状スリーブ１２とが締め付けられるように回転ドラム１に係止される。回転ドラム底座３の挟接部３１の外辺縁にはその径方向に沿って外に突起する段付係止部３３が設置され、蓋板２３における挟接部３１に対する対向面に円形の凹み台が設置され、円形の凹み台の開口部には段付係止部３３に対応するストッパー２８が設置され、段付係止部３３とストッパー２８との嵌合により挟接部３１と蓋板２３とを固定することを実現できる。
【００２２】
回路基板２１に更にライトベルト２２のスイッチ２７が設置され、スイッチ２７が蓋板２３及び回転ドラム底座３から延長して外に暴露される。
【００２３】
回転ドラム１及び発光装置２の取付けを便利にするために、回転ドラム１の外壁にはその径方向に沿って均一に複数のライトベルト位置決め溝１４が分布し、ライトベルト２２がライトベルト位置決め溝１４内に嵌入されて位置決めされ取付けられる。錐状スリーブ１２内には回転ドラム１外に突出する三つの位置決め柱が設置され、回路基板２１及び蓋板２３にはそれぞれ位置決め柱に対応する位置決め孔及び位置決めパイプスリーブが三つずつ設置され、位置決めパイプスリーブが位置決め孔を貫通して位置決め柱に外嵌されることにより、回路基板２１、蓋板２３及び回転ドラム１を位置決めし取付ける。
【００２４】
その中で、発光装置２が電池により給電され、電池の取付け及び取替を便利にするように、蓋板２３における回路基板２１に対応する位置には電池取付溝２５が設置され、電池取付溝２５の開口が回路基板２１と対向する。
【００２５】
本考案は、取付け時、回路基板２１及び蓋板２３を回転ドラム１の外壁に嵌入した後、回転ドラム底座３のロッド連結部３２を次第に回路基板２１、蓋板２３及び回転ドラム１を貫通して係止固定させ、最後に回転ドラム底座３の挟接部３１を蓋板２３の円形の凹み台内に嵌入し、段付係止部３３がストッパー２８に嵌合固定するまでこの挟接部３１を回転させる。
【００２６】
図４及び図５に示すように、取付けが完成した後、回転盤の全体が回転ドラム底座３の挟接部３１を利用して回転し、挟接部３１の係止溝がペットケージ間に安定して挟持されることにより、回転盤がペットケージ内に懸架される。
【００２７】
本考案を使用すれば、ライトベルト２２のスイッチ２７を付けると、回転ドラム１が光透過材質で構成されるので、光が回転ドラム１内を透過する。ペットが回転ドラム１内の凸エッジ１３間に入って踏む時、駆動回転ドラム１が発光装置２を回動駆動するので、回転盤が絢麗な光線娯楽効果を生じさせ、回転輪へのペットねずみの興味が増え、ペットねずみの活動量を増加させ、ペットねずみの身心健康に有利である。
【図１】
0003206453.tif 000003
【図２】
0003206453.tif 000004
【図３】
0003206453.tif 000005
【図４】
0003206453.tif 000006
【図５】
0003206453.tif 000007